(57)【特許請求の範囲】
【請求項１】
圧送排水装置を収容可能な床面に固定される箱型フレームであって、
稜の部分に相当する１２本の第１アングルと、
前記１２本の第１アングルのうち正面側の第１アングル間に掛け渡された第２アングルと、
前記第２アングルに取り付けられた壁掛式洋風便器取り付け部材と、
前記１２本の第１アングルのうち底面側の前後２本の第１アングル間に掛け渡された底板と、
前記壁掛式洋風便器取り付け部材と前記底板とに側壁と底面とがそれぞれ接合された支持材と、
を備えたことを特徴とする箱型フレーム。
【請求項２】
前記底板は折り返しを有することを特徴とする請求項１に記載の箱型フレーム。
【請求項３】
前記底板は、互いに接合された２枚以上の部材から構成されていることを特徴とする請求項１または２に記載の箱型フレーム。
【請求項４】
前記第１アングルにより囲まれる領域の四隅に三角形状の板を有することを特徴とする請求項１から３のいずれか１項に記載の箱型フレーム。
【請求項５】
前記第２アングルは、正面視における短手方向に掛け渡されていることを特徴とする請求項１から４のいずれか１項に記載の箱型フレーム。
【請求項６】
請求項１から５のいずれか１項に記載の箱型フレームと、
前記請求項１から５のいずれか１項に記載の箱型フレーム内に収容された圧送排水装置と、
前記請求項１から５のいずれか１項に記載の箱型フレームが備える壁掛式洋風便器取り付け部材に取り付けられた壁掛式洋風便器と、
を備え、
前記圧送排水装置は、前記箱型フレームの正面側において前記壁掛式洋風便器に接続されるとともに、前記箱型フレームの上面側または側面側において排水機構に接続され、前記壁掛式洋風便器にて生じた汚水を前記排水機構に排出することを特徴とする圧送排水設備。
【発明の詳細な説明】
【技術分野】
【０００１】
箱型フレーム及びこれを用いた圧送排水設備に関する。
【背景技術】
【０００２】
箱型フレームをトイレルーム壁の柱の間に配置して柱に止め付けると共に、箱型フレームの室内側に壁掛式形洋風便器を取り付け、箱型フレームの内部に洗浄水タンクを設置する一般住宅用の壁掛式洋風便器の設置構造が知られている（特許文献１参照）。
【先行技術文献】
【特許文献】
【０００３】
【特許文献１】実開昭６３−１８１６８５号公報
【発明の概要】
【発明が解決しようとする課題】
【０００４】
しかしながら、上記従来の設置構造には、トイレルームに適切な柱が存在しないと安全に使用することができないという問題があった。柱に固定することができない環境で使用すると、壁掛式洋風便器に腰を掛けた際に、利用者が箱型フレームごと前方へ転倒するおそれがあるからである。
【０００５】
そこで、本発明は、圧送排水装置を収容する箱型フレームに壁掛式洋風便器が取り付けられる圧送排水設備において、壁掛式洋風便器に加えられる荷重（応力）を床面で受けることができる箱型フレーム及びこれを用いた圧送排水設備を提供することを目的とする。
【課題を解決するための手段】
【０００６】
上記の課題は、例えば、次の手段により、解決することができる。
【０００７】
圧送排水装置を収容可能な床面に固定される箱型フレームであって、稜の部分に相当する１２本の第１アングルと、前記１２本の第１アングルのうち正面側の第１アングル間に掛け渡された第２アングルと、前記第２アングルに取り付けられた壁掛式洋風便器取り付け部材と、前記１２本の第１アングルのうち底面側の前後２本の第１アングル間に掛け渡された底板と、前記壁掛式洋風便器取り付け部材と前記底板とに側壁と底面とがそれぞれ接合された支持材と、を備えたことを特徴とする箱型フレーム。
【０００８】
上記の箱型フレームと、上記の箱型フレーム内に収容された圧送排水装置と、上記の箱型フレームが備える壁掛式洋風便器取り付け部材に取り付けられた壁掛式洋風便器と、を備え、前記圧送排水装置は、前記箱型フレームの正面側において前記壁掛式洋風便器に接続されるとともに、前記箱型フレームの上面側または側面側において排水機構に接続され、前記壁掛式洋風便器にて生じた汚水を前記排水機構に排出することを特徴とする圧送排水設備。
【発明の効果】
【０００９】
本発明によれば、圧送排水装置を収容する箱型フレームに壁掛式洋風便器が取り付けられる圧送排水設備において、壁掛式洋風便器に加えられる荷重（応力）を床面で受けることができることができるため、柱が存在しないトイレルームにおいても、圧送排水設備を安全に使用することができる。
【図面の簡単な説明】
【００１０】
【図１】実施形態１に係る箱型フレーム及びこれに取り付けられる壁掛式洋風便器の模式的斜視図である。
【図２】図１中におけるＡ−Ａ断面図である。
【図３】図１中におけるＢ−Ｂ断面図である。
【図４】図１中におけるＣ−Ｃ断面図である。
【図５】実施形態１に係る圧送排水設備の模式的斜視図である。
【図６】支持材の他の例を示す模式的斜視図である。
【発明を実施するための形態】
【００１１】
図１は実施形態１に係る箱型フレーム及びこれに取り付けられる壁掛式洋風便器の模式的斜視図であり、図２、図３、及び図４は、それぞれ、図１中におけるＡ−Ａ断面図、Ｂ−Ｂ断面図、及びＣ−Ｃ断面図である。また、図５は実施形態１に係る圧送排水設備の模式的斜視図である。図１から図４に示すように、実施形態１に係る箱型フレーム１０は、圧送排水装置３０を収容可能な床面２００に固定される箱型フレームであって、稜の部分に相当する１２本の第１アングル１１と、１２本の第１アングル１１のうち正面側の第１アングル１１間に掛け渡された第２アングル１２と、第２アングル１２に取り付けられた壁掛式洋風便器取り付け部材１３と、１２本の第１アングル１１のうち底面側の前後２本の第１アングル１１間に掛け渡された底板１４と、壁掛式洋風便器取り付け部材１３と底板１４とに側壁と底面とがそれぞれ接合された支持材１５と、を備える箱型フレームである。また、図５に示すように、実施形態１に係る圧送排水設備１００は、箱型フレーム１０と、圧送排水装置３０と、箱型フレーム１０が備える壁掛式洋風便器取り付け部材１３に取り付けられた壁掛式洋風便器２０と、を備える圧送排水設備である。以下、箱型フレーム１０、壁掛式洋風便器２０、圧送排水設備１００の順に説明する。
【００１２】
［箱型フレーム１０］
まず、箱型フレーム１０について説明する。
【００１３】
（第１アングル１１）
箱型フレーム１０は、稜の部分に相当する１２本の第１アングル１１を有している。第１アングル１１には溝形鋼や不等辺山形鋼または等辺山形鋼などの鋼材を用いることができる。隣接する第１アングル１１同士は、溶接により互いに接合されている。
【００１４】
（第２アングル１２）
１２本の第１アングル１１のうち正面側の第１アングル１１間には、第２アングル１２が掛け渡されている。第２アングル１２には溝形鋼や不等辺山形鋼または等辺山形鋼などの鋼材を用いることができる。第２アングル１２は、例えば、その一端は第１アングル１１に溶接され、他端は底板１４と第１アングル１１とに溶接される。なお、側面側の第１アングル１１間、背面側の第１アングル１１間、及び／又は上面側の第１アングル１１間には、例えば、補強板（図示せず）を掛け渡すことができる。
【００１５】
（壁掛式洋風便器取り付け部材１３）
正面側の第１アングル１１間に掛け渡された第２アングル１２には、壁掛式洋風便器取り付け部材１３が取り付けられている。壁掛式洋風便器取り付け部材１３には、溝形鋼や不等辺山形鋼または等辺山形鋼などを用いることができる。取り付けは、例えば溶接あるいはボルトとナットを用いた締め付けにより行うことができる。
【００１６】
（底板１４）
１２本の第１アングル１１のうち底面側の前後２本の第１アングル１１間には、底板１４が掛け渡されている。底板１４には、例えば、正方形状または長方形状の平らな鋼板を用いることができる。底板１４は、例えば、その前後の端辺が底面側の前後２本の第１アングル１１にそれぞれ溶接されている。さらに、底板１４には、第２アングル１２、壁掛式洋風便器取り付け部材１３の一部ならびに支持材１５がそれぞれ溶接されている。
【００１７】
（支持材１５）
壁掛式洋風便器取り付け部材１３と底板１４とには、支持材１５の側壁と底面とがそれぞれ接合される。支持材１５には、例えば、三角形状の平らな鋼板を用いることができる。接合は例えば溶接により行うことができる。
【００１８】
（アンカー部材１７）
箱型フレーム１０はアンカー部材１７により床面２００に固定される。床面側の第１アングル１１と底板１４はアンカー部材取り付け用の貫通孔Ｐを有している。床面２００にはアンカー部材１７の形状に対応した複数の取り付け穴Ｑをアンカー部材１７の仕様に合わせて設ける。アンカー部材１７は、第１アングル１１と底板１４に設けられた貫通孔Ｐを介して床面２００の取り付け穴Ｑに打設される。アンカー部材１７の上部には例えばネジ溝などの被固定部が設けられており、箱型フレーム１０は、例えば、アンカー部材１７の打設後、アンカー部材１７の上部に設けられている被固定部にナット１８などの固定部を取り付ける（例：締め付ける）ことにより、床面２００に固定される。
【００１９】
［壁掛式洋風便器２０］
図１、図５に示すように、壁掛式洋風便器２０は、箱型フレーム１０が備える壁掛式洋風便器取り付け部材１３に取り付けられる。取り付けは、例えば、ボルトとナットを用いた締め付けにより行うことができる。
【００２０】
［圧送排水装置３０］
図５に示すように、圧送排水装置３０は、壁掛式洋風便器２０にて生じた汚水を排水機構に圧送排水する装置であり、例えば、特許第３２７７４７８号（平成１４年２月１５日登録）に記載された「水利用設備の圧送排水システム」などである。圧送排水装置３０は、箱型フレーム１０の正面側において壁掛式洋風便器２０に接続されるとともに、箱型フレーム１０の上面側または側面側（本実施形態では上面側）において排水機構（例：排水パイプ）に接続される。
【００２１】
以上説明した実施形態１に係る箱型フレーム１０によれば、壁掛式洋風便器２０に加えられる荷重（応力）を床面２００で受けることができる。具体的に説明すると、壁掛式洋風便器２０に加えられる荷重（応力）は、例えば、
（１）壁掛式洋風便器２０→壁掛式洋風便器取り付け部材１３→第２アングル１２→底板１４→床面２００、
（２）壁掛式洋風便器２０→壁掛式洋風便器取り付け部材１３→第２アングル１２→底板１４→第１アングル１１→床面２００
（３）壁掛式洋風便器２０→壁掛式洋風便器取り付け部材１３→支持材１５→底板１４→床面２００、
（４）壁掛式洋風便器２０→壁掛式洋風便器取り付け部材１３→支持材１５→底板１４→第１アングル１１→床面２００、
などのように伝搬し、床面２００により受け止められる。このように、実施形態１に係る箱型フレーム１０によれば、圧送排水装置３０を収容する箱型フレーム１０に壁掛式洋風便器２０が取り付けられる圧送排水設備において、壁掛式洋風便器２０に加えられる荷重を床面２００で受けることができることができるため、柱が存在しないトイレルームにおいても、圧送排水設備を安全に使用することができる。
【００２２】
なお、上記した構成において、底板１４は、折り返しＸを有していることが好ましい。このようにすれば、底板１４が捩れにくくなるため、壁掛式洋風便器２０に加わる荷重（応力）をより安定的に床面２００で受けることができる。また、底板１４は、１枚の部材から構成されてもよいが、互いに接合された２枚以上の部材１４ａ、１４ｂ、１４ｃから構成されてもよい。このようにすれば、底板１４が捩れにくくなるため、壁掛式洋風便器２０に加わる荷重（応力）をより安定的に床面２００で受けることができる。
【００２３】
また、上記した構成において、第１アングル１１により囲まれる領域の四隅には三角形状の板１６を溶接などにより設けてもよい。このようにすれば、箱型フレーム１０全体が捩れにくくなるため、壁掛式洋風便器２０に加わる荷重（応力）をより安定的に床面２００で受けることができる。
【００２４】
また、第２アングル１２を正面側の前後２本の第１アングル１１に取り付けるのか、正面側の左右２本の第１アングル１１に取り付けるのか、あるいは正面側の前後２本の第１アングル１１と正面側の左右２本の第１アングル１１の双方に取り付けるのかは特に限定されるものではないが、第２アングル１２は、正面視における短手方向に掛け渡されていること（本実施形態では正面側の前後２本の第１アングル１１間に掛け渡されている）が好ましい。このようにすれば、壁掛式洋風便器２０に荷重（応力）が加わった際に、箱型フレーム１０全体が捩れにくくなるため、壁掛式洋風便器２０に加わる荷重（応力）をより安定的に床面２００で受けることができる。
【００２５】
また、支持材１５の数は１つであってもよいが、壁掛式洋風便器２０に加わる荷重（応力）をより安定的に床面２００で受けることができるよう、複数であることが好ましい。なお、複数の支持材１５を用いる場合は、図４に示したように、複数の支持材１５のいずれかが圧送排水装置３０に緩衝しないよう、圧送排水装置３０の形状にあわせて大小様々な大きさ・形状の支持材１５を用いることが好ましい。ただし、図６に示すように、同じ大きさ・形状の支持材１５を複数用いることもできる。この場合は、複数の支持材１５のうちのいずれかの大きさ・形状を圧送排水装置３０に合わせるのではなく、支持材１５の形状に応じた形状の圧送排水装置３０を用いるようにすればよい。なお、図４に示した例では、２つの支持材１５ａ、１５ｂを用いているが、支持材１５ａには、圧送排水装置３０に緩衝しないよう、支持材１５ｂよりも小さめの部材が用いられている。他方、図６に示した例においては、２つの支持材１５ａ、１５ｂを用いているが、支持材１５ａと支持材１５ｂの大きさ・形状は同じである。
【００２６】
以上、実施形態について説明したが、これらの説明は一例に関するものであり、特許請求の範囲に記載された構成を何ら限定するものではない。
【符号の説明】
【００２７】
１０    箱型フレーム
１１    第１アングル
１２    第２アングル
１３    壁掛式洋風便器取り付け部材
１４    底板
１４ａ、１４ｂ、１４ｃ  底板を構成する部材
１５    支持材
１６    三角形状の板
１７    アンカー部材
１８    ナット
２０    壁掛式洋風便器
３０    圧送排水装置
１００  圧送排水設備
２００  床面
Ｐ      貫通孔
Ｑ      取り付け穴
Ｘ      折り返し
【図１】
0006450205.tif 000002
【図２】
0006450205.tif 000003
【図３】
0006450205.tif 000004
【図４】
0006450205.tif 000005
【図５】
0006450205.tif 000006
【図６】
0006450205.tif 000007